(57)【要約】【課題】  出力部（パネル部）側と、コントローラ部（ボックス部）からなる２体型のシステムにおいて、高品質な画質、音質データ出力を実現する装置および方法を提供する。【解決手段】  画像、音声データを出力する出力部（パネル部）側と、コントローラ部（ボックス部）からなる２体型のシステムにおいて、出力データの調整処理を出力部側において実行するか、コントローラ側において実行するかを調整項目毎に設定した調整実行部判定テーブルに基づいて決定し、決定した調整部において画質、音質調整を実行する。調整実行部判定テーブルを調整項目毎に、より高精度な調整が可能なデバイスを調整実行部とする設定としたので、テーブルに基づく振り分けにより高品質データの出力が可能となる。【選択図】  図２
2005027235.tif 000002
【特許請求の範囲】
【請求項１】
画像データまたは音声データからなる出力データの調整処理を実行する出力データ処理装置であり、
少なくとも画像データまたは音声データのいずれかを出力する出力部側に構成され、出力データの調整処理を実行する調整デバイスを有する出力部側データ調整部と、
前記出力部に対してデータ転送可能なケーブルによって接続されたコントローラ部内に構成され、出力データの調整処理を実行する調整デバイスを有するコントローラ側データ調整部と、
出力データの調整処理を前記出力部側データ調整部において実行するか、コントローラ側データ調整部において実行するかを調整項目毎に設定した調整実行部判定テーブルを格納した記憶部と、
出力データ処理装置に入力された調整要求項目を識別し、該識別調整項目の調整処理実行部として前記調整実行部判定テーブルに設定された情報が出力部側であるかコントローラ側であるかを判定し、判定されたデータ調整部に対して前記調整要求項目に対応する調整処理要求を行う制御部と、
を有することを特徴とする出力データ処理装置。
【請求項２】
前記調整実行部判定テーブルは、調整項目毎に、より高精度な調整の実行可能な調整デバイスを持つ調整部を調整実行部として設定したテーブルであることを特徴とする請求項１に記載の出力データ処理装置。
【請求項３】
前記制御部は、コントローラ側データ調整部内に設定された制御部であり、
該制御部は、入力調整要求項目を識別し、該識別調整項目の調整処理実行部として前記調整実行部判定テーブルに設定された情報が出力部側であるかコントローラ側であるかを判定し、判定されたデータ調整部が、コントローラ側である場合には、自装置内のメモリに格納されたパラメータを適用して自装置内の調整デバイスにおける調整処理を実行し、判定されたデータ調整部が、出力部側である場合には、前記ケーブルを介して出力部側に調整処理要求を出力する構成であることを特徴とする請求項１に記載の出力データ処理装置。
【請求項４】
前記制御部は、出力部側データ調整部内に設定された制御部であり、
該制御部は、入力調整要求項目を識別し、該識別調整項目の調整処理実行部として前記調整実行部判定テーブルに設定された情報が出力部側であるかコントローラ側であるかを判定し、判定されたデータ調整部が、出力部側である場合には、自装置内のメモリに格納されたパラメータを適用して自装置内の調整デバイスにおける調整処理を実行し、判定されたデータ調整部が、コントローラ側である場合には、前記ケーブルを介してコントローラ側に調整処理要求を出力する構成であることを特徴とする請求項１に記載の出力データ処理装置。
【請求項５】
画像データまたは音声データからなる出力データの調整処理を実行する出力データ処理方法であり、
出力データ処理装置に入力される調整要求項目を識別する調整要求項目識別ステップと、
出力データの調整処理を前記出力部側データ調整部において実行するか、コントローラ側データ調整部において実行するかを調整項目毎に設定した調整実行部判定テーブルを参照して、調整処理を出力部側で実行するかコントローラ側で実行するかを判定する実行部判定ステップと、
前記実行部判定ステップにおける判定に基づいて決定したデータ調整部に対して前記調整要求項目に対応する調整処理要求を行う制御ステップと、
前記決定したデータ調整部において前記調整要求項目に対応する調整処理を実行する調整処理ステップと、
を有することを特徴とする出力データ処理方法。
【請求項６】
前記調整実行部判定テーブルは、調整項目毎に、より高精度な調整の実行可能な調整デバイスを持つ調整部を調整実行部として設定したテーブルであることを特徴とする請求項５に記載の出力データ処理方法。
【請求項７】
画像データまたは音声データからなる出力データの調整処理制御を実行するコンピュータ・プログラムであり、
出力データ処理装置に入力される調整要求項目を識別する調整要求項目識別ステップと、
出力データの調整処理を前記出力部側データ調整部において実行するか、コントローラ側データ調整部において実行するかを調整項目毎に設定した調整実行部判定テーブルを参照して、調整処理を出力部側で実行するかコントローラ側で実行するかを判定する実行部判定ステップと、
前記実行部判定ステップにおける判定に基づいて決定したデータ調整部に対して前記調整要求項目に対応する調整処理要求を行う制御ステップと、
前記決定したデータ調整部において前記調整要求項目に対応する調整処理を実行する調整処理ステップと、
を有することを特徴とするコンピュータ・プログラム。
【発明の詳細な説明】
【技術分野】
【０００１】
本発明は、コントローラ部と、ディスプレイやスピーカからなる出力部とが分離されて構成され、出力部に映像、音声データを出力する構成を持つ２体型システムに適用される出力データ処理装置、および出力データ処理方法、並びにコンピュータ・プログラムに関する。さらに詳細には、コントローラ側の調整部の他に、ディスプレイやスピーカからなる出力部にも出力データ調整処理を実行する調整部を有する構成において、コントローラ側の調整部と、出力部側の調整部を選択的に適用する制御を行うことにより、高品質なデータ出力を実現した出力データ処理装置、および出力データ処理方法、並びにコンピュータ・プログラムに関する。
【背景技術】
【０００２】
近年、プラズマテレビや、液晶テレビ等のディスプレイ部を薄型化、小型化した表示部を持つ装置は、ディスプレイやスピーカを持つ出力部（パネル部）とコントローラ部（ボックス部）とを別構成としたものが多い。このような別構成とすることでより軽量なディスプレイが実現され、ディスプレイを例えば壁掛け型として設定することが可能となる。また、ディスプレイと離れた位置でコントローラを操作するユーザの操作の利便性も向上する。
【０００３】
このような、２体型のプラズマテレビや液晶テレビのような出力部（パネル部）とコントローラ部（ボックス部）の２つのブロック構成を持つ映像機器システムの一般的構成は、２つのブロック間を映像、音声データ、制御データの通信のために専用ケーブル（５〜１０ｍ）で接続し、それぞれのブロックに搭載しているマイコン間での通信を可能とした構成を持つ。
【０００４】
画質、音質を決定するための調整処理は、出力部（パネル部）とコントローラ部（ボックス部）それぞれに構成されたマイコンに接続された画質調整デバイス、音質調整デバイスにおいて実行される。画質調整デバイスにおいて実行する画質調整処理としては、例えば輝度(ブライト)、シャープネス、カラー調整など多種類の調整項目がある。音質調整についても、トーン、広がり（ステレオ）といった様々な項目がある。
【０００５】
このような画質調整処理および音質調整処理は、出力部（パネル部）とコントローラ部（ボックス部）それぞれに設置された画質調整デバイス、音質調整デバイスのいずれかで実行されることになる。
【０００６】
出力部（パネル部）とコントローラ部（ボックス部）それぞれに構成されたマイコンには、不揮発性のメモリが付属しており、それぞれのメモリ内に、画質、音質を決める制御パラメータなどの固定情報が予め格納されている。出力部（パネル部）とコントローラ部（ボックス部）それぞれに設置された画質調整デバイス、音質調整デバイスは、これらのメモリ格納パラメータに基づいて調整処理を実行する。
【０００７】
このように、出力部（パネル部）とコントローラ部（ボックス部）には、それぞれ画質調整デバイス、音質調整デバイスがあり、これらは、重複する機能を持つ場合が多い。しかし、通常のこのような２体型システムでは、出力部（パネル部）が単独でメモリに格納されたパラメータ等の値に基づいて信号を制御するのではなく、コントローラ部（ボックス部）からケーブルを介して受信する制御情報に基づいて出力データの制御を行う構成となっている。
【０００８】
すなわち、ケーブルによってコントローラ部と出力部とが接続され、それぞれにマイコンが設置されて、双方で出力データの制御が可能な構成においては、通常、一方の制御部、例えばコントローラ部（ボックス部）が主となった出力データの制御を行う構成となっている。すなわち、この場合は、出力部（パネル部）側の画質調整デバイスや音質調整デバイスはほとんど使用されないことになる。
【０００９】
しかし、ディスプレイやスピーカを備えた出力部（パネル部）の高機能化、高品質化に伴い、出力部（パネル部）の信号制御機能が、コントローラ部（ボックス部）の信号制御機能を上回る場合もある。
【００１０】
例えば、コントローラ部（ボックス部）は、コストの面から、様々な出力部（パネル部）に対応させる機能を持たせるため汎用的な構成とすることが要請され、その結果、特定の高品質なディスプレイ等の出力部に対して品質に応じた十分な制御ができないといった場合がある。出力部（パネル部）は、ディスプレイの画素数等、出力部に最も適した信号制御を実行する制御部を持つ構成とすることが可能であり、このような場合には、コントローラでの信号制御を行うより、ディスプレイ部に備えたマイコン側での信号制御を行うほうが、高品質な出力データを得ることが可能となる。
【００１１】
しかし、前述したように、現行の商品においては、コントローラ部（ボックス部）が信号制御の主となり、出力部（パネル部）はコントローラ部（ボックス部）からケーブルを介して受信する制御情報に基づいて補助的に信号制御を行う構成となっている。その結果、出力部に適合した高品質なデータ出力が得られないという結果を招いていた。
【００１２】
なお、出力部（パネル部）とコントローラ部（ボックス部）に分離された映像システムを開示した従来例としては、例えば特許文献１および特許文献２がある。
【００１３】
特許文献１は、画面サイズの異なる複数の表示器に対して１つの画像表示制御装置で対応可能としたシステムを開示している。この構成は、画面サイズの異なる複数の表示器が出力部（パネル部）であり、画像表示制御装置がコントローラ部（ボックス部）に相当する。この特許文献１に示される構成は、基本的に出力データの制御は、コントローラ部（ボックス部としての画像表示制御装置が実行する構成である。
【００１４】
また、特許文献２は、ＣＲＴのインチサイズに適合した出力データの信号調整、例えば輝度信号レベルの調整を実行する構成を示しており、制御部に接続されたＣＲＴのインチサイズ情報に基づいて輝度信号のレベルを変更して出力するなどの処理により、出力部の構成に対応した出力データを生成する構成を開示している。
【００１５】
しかし、これらのいずれも、コントローラ部（ボックス部）が信号制御を行う構成を示しており、出力部（パネル部）において、単独で信号制御を実行する構成を開示するものではない。従って、たとえ出力部（パネル部）における処理機能がコントローラを上回る構成であった場合にも、コントローラ部（ボックス部）の制御が優先されてしまい、本来、出力可能な高品質データが出力されないという問題が残る。
【特許文献１】特開平１１−５５６０１号公報
【特許文献２】特開２００３−４６９００号公報
【発明の開示】
【発明が解決しようとする課題】
【００１６】
本発明は、上述の問題点に鑑みてなされたものであり、出力部（パネル部）とコントローラ部（ボックス部）に分離された２体型の映像システムにおいて、コントローラ部の調整部と、出力部の調整部を選択的に適用した制御を行うことにより、高品質なデータ出力を実現した出力データ処理装置、および出力データ処理方法、並びにコンピュータ・プログラムを提供することを目的とする。
【００１７】
より具体的には、本発明は出力部（パネル部）とコントローラ部（ボックス部）に搭載されているデバイスの中で、最も性能の良い調整処理を組み合わせて使用することにより、最適な映像／音声を実現する出力データ処理装置、および出力データ処理方法、並びにコンピュータ・プログラムを提供することを目的とする。
【課題を解決するための手段】
【００１８】
本発明の第１の側面は、
画像データまたは音声データからなる出力データの調整処理を実行する出力データ処理装置であり、
少なくとも画像データまたは音声データのいずれかを出力する出力部側に構成され、出力データの調整処理を実行する調整デバイスを有する出力部側データ調整部と、
前記出力部に対してデータ転送可能なケーブルによって接続されたコントローラ部内に構成され、出力データの調整処理を実行する調整デバイスを有するコントローラ側データ調整部と、
出力データの調整処理を前記出力部側データ調整部において実行するか、コントローラ側データ調整部において実行するかを調整項目毎に設定した調整実行部判定テーブルを格納した記憶部と、
出力データ処理装置に入力された調整要求項目を識別し、該識別調整項目の調整処理実行部として前記調整実行部判定テーブルに設定された情報が出力部側であるかコントローラ側であるかを判定し、判定されたデータ調整部に対して前記調整要求項目に対応する調整処理要求を行う制御部と、
を有することを特徴とする出力データ処理装置にある。
【００１９】
さらに、本発明の出力データ処理装置の一実施態様において、前記調整実行部判定テーブルは、調整項目毎に、より高精度な調整の実行可能な調整デバイスを持つ調整部を調整実行部として設定したテーブルであることを特徴とする。
【００２０】
さらに、本発明の出力データ処理装置の一実施態様において、前記制御部は、コントローラ側データ調整部内に設定された制御部であり、該制御部は、入力調整要求項目を識別し、該識別調整項目の調整処理実行部として前記調整実行部判定テーブルに設定された情報が出力部側であるかコントローラ側であるかを判定し、判定されたデータ調整部が、コントローラ側である場合には、自装置内のメモリに格納されたパラメータを適用して自装置内の調整デバイスにおける調整処理を実行し、判定されたデータ調整部が、出力部側である場合には、前記ケーブルを介して出力部側に調整処理要求を出力する構成であることを特徴とする。
【００２１】
さらに、本発明の出力データ処理装置の一実施態様において、前記制御部は、出力部側データ調整部内に設定された制御部であり、該制御部は、入力調整要求項目を識別し、該識別調整項目の調整処理実行部として前記調整実行部判定テーブルに設定された情報が出力部側であるかコントローラ側であるかを判定し、判定されたデータ調整部が、出力部側である場合には、自装置内のメモリに格納されたパラメータを適用して自装置内の調整デバイスにおける調整処理を実行し、判定されたデータ調整部が、コントローラ側である場合には、前記ケーブルを介してコントローラ側に調整処理要求を出力する構成であることを特徴とする。
【００２２】
さらに、本発明の第２の側面は、
画像データまたは音声データからなる出力データの調整処理を実行する出力データ処理方法であり、
出力データ処理装置に入力される調整要求項目を識別する調整要求項目識別ステップと、
出力データの調整処理を前記出力部側データ調整部において実行するか、コントローラ側データ調整部において実行するかを調整項目毎に設定した調整実行部判定テーブルを参照して、調整処理を出力部側で実行するかコントローラ側で実行するかを判定する実行部判定ステップと、
前記実行部判定ステップにおける判定に基づいて決定したデータ調整部に対して前記調整要求項目に対応する調整処理要求を行う制御ステップと、
前記決定したデータ調整部において前記調整要求項目に対応する調整処理を実行する調整処理ステップと、
を有することを特徴とする出力データ処理方法にある。
【００２３】
さらに、本発明の出力データ処理方法の一実施態様において、前記調整実行部判定テーブルは、調整項目毎に、より高精度な調整の実行可能な調整デバイスを持つ調整部を調整実行部として設定したテーブルであることを特徴とする。
【００２４】
さらに、本発明の第３の側面は、
画像データまたは音声データからなる出力データの調整処理制御を実行するコンピュータ・プログラムであり、
出力データ処理装置に入力される調整要求項目を識別する調整要求項目識別ステップと、
出力データの調整処理を前記出力部側データ調整部において実行するか、コントローラ側データ調整部において実行するかを調整項目毎に設定した調整実行部判定テーブルを参照して、調整処理を出力部側で実行するかコントローラ側で実行するかを判定する実行部判定ステップと、
前記実行部判定ステップにおける判定に基づいて決定したデータ調整部に対して前記調整要求項目に対応する調整処理要求を行う制御ステップと、
前記決定したデータ調整部において前記調整要求項目に対応する調整処理を実行する調整処理ステップと、
を有することを特徴とするコンピュータ・プログラムにある。
【００２５】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２６】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２７】
本発明においては、画像データまたは音声データのいずれかを出力する出力部（パネル部）側と、出力部と別構成として構成されたコントローラ部（ボックス部）からなる２体型のシステムにおいて、出力データの調整処理を出力部側データ調整部において実行するか、コントローラ側データ調整部において実行するかを調整項目毎に設定した調整実行部判定テーブルに基づいて決定し、決定結果に従って選択された調整部において画質または音質調整を実行する構成とした。本発明の構成において、調整実行部判定テーブルは、ピクチャー、シャープネス等の調整項目毎に、より高精度な調整の実行可能なデバイスを調整実行部とした設定としたので、テーブルに基づく調整処理の振り分けによって、より高品質の画質、音質を持つ調整データの出力が可能となる。
【発明を実施するための最良の形態】
【００２８】
以下、図面を参照しながら、本発明の出力データ処理装置、および出力データ処理方法、並びにコンピュータ・プログラムの詳細について説明する。
【００２９】
まず、図１を参照して本発明の出力データ処理装置の構成について説明する。図１には、コントローラ部（ボックス部）１１０と、出力部（パネル部）１２０からなる２体型の映像出力システムを示している。出力部（パネル部）１２０は、画像出力のためのディスプレイ１２１と、音声出力のためのスピーカ１２２を備え、さらにユーザのリモコンなどの入力機器からのコマンドを受信する受信部１２３を備えている。ディスプレイ１２１は、例えばプラズマディスプレイや液晶ディスプレイによって構成される。
【００３０】
コントローラ部（ボックス部）１１０と、出力部（パネル部）１２０との間は、ケーブル１５０によって接続され、画像データ、音声データ、および制御データの転送が可能な構成となっている。
【００３１】
コントローラ部（ボックス部）１１０と、出力部（パネル部）１２０には、それぞれ、ほぼ同様の構成を持つ出力データ調整部２００，３００、すなわち出力データとしての画像に関する画質調整および音声の音質調整を実行する出力データ調整部２００，３００が備えられている。
【００３２】
コントローラ部（ボックス部）１１０の出力データ調整部２００は、ボックスマイコン２１０、画質調整デバイス２２０、音質調整デバイス２３０、さらに不揮発性メモリ（ＮＶＭ）２４０を有する。また、出力部（パネル部）１２０の出力データ調整部は、パネルマイコン３１０、画質調整デバイス３２０、音質調整デバイス３３０、さらに不揮発性メモリ（ＮＶＭ）３４０を有する。
【００３３】
コントローラ部（ボックス部）１１０の出力データ調整部２００の構成について図２を参照して説明する。ボックスマイコン２１０は、ＣＰＵ２１１、メモリ２１２、通信インタフェース２１３を有し、画質調整デバイス２２０、音質調整デバイス２３０とのインタフェース２１４、不揮発性メモリ（ＮＶＭ）２４０とのインタフェース２１５を有する。
【００３４】
通信インタフェース２１３は、出力部（パネル部）と接続されるケーブル１５０を介した画像データ、音声データ、制御データのデータ転送に適用されるインタフェースである。
【００３５】
なお、画質調整や音質調整要求は、ユーザのリモコン等の入力手段からの制御要求として、例えば出力部（パネル部）のディスプレイ隣接部の受信部１２３（図１参照）に入力され、ケーブル１５０を介してコントローラ部（ボックス部）１１０のボックスマイコン２１０に入力される。
【００３６】
ボックスマイコン２１０、画質調整デバイス２２０、音質調整デバイス２３０、不揮発性メモリ（ＮＶＭ）２４０各々は、相互にアドレスバス２５１，２６１とデータバス２５２，２６２によってバス接続され、データ転送が可能な構成である。これらのバスは例えばＩ２Ｃバスなどによって構成される。
【００３７】
画質調整デバイス２２０は、例えば輝度(ブライト)、シャープネス、カラー調整など、様々な画質調整処理を実行する専用のデバイスであり、ボックスマイコン２１０からの処理要求に応じて、画質調整処理を実行する。この調整処理に適用するパラメータは、メモリ（ＮＶＭ）２４０に画質調整パラメータ２４１として格納されている。
【００３８】
ボックスマイコン２１０が処理項目に応じたパラメータをメモリ（ＮＶＭ）２４０から取得し、画質調整デバイス２２０に出力し、画質調整デバイス２２０が入力パラメータに基づいて調整処理を実行する。
【００３９】
音質調整デバイス２３０は、例えばトーン、広がり（ステレオ）など、様々な音質調整処理を実行する専用のデバイスであり、ボックスマイコン２１０からの処理要求に応じて、音質調整処理を実行する。この調整処理に適用するパラメータもメモリ（ＮＶＭ）２４０に音質調整用パラメータ２４２として格納され、ボックスマイコン２１０が処理項目に応じたパラメータをメモリ（ＮＶＭ）２４０から取得し、音質調整デバイス２３０に出力し、音質調整デバイス２３０が入力パラメータに基づいて調整処理を実行する。
【００４０】
メモリ（ＮＶＭ）２４０は不揮発性メモリであり、上述したように、画質調整デバイス２２０、および音質調整デバイス２３０において実行する調整処理に適用するパラメータとしての画質調整パラメータ２４１、音質調整用パラメータ２４２を格納している。
【００４１】
一方、出力部（パネル部）１２０側の出力データ調整部３００の構成も、コントローラ部（ボックス部）側の出力データ調整部２００の構成と基本的に同様の構成を持つ。すなわち、図１に示すように、パネルマイコン３１０、画質調整デバイス３２０、音質調整デバイス３３０、さらに不揮発性メモリ（ＮＶＭ）３４０を有し、これらが相互にバス接続された構成である。
【００４２】
出力部（パネル部）１２０側の出力データ調整部３００における画質調整デバイス３２０、音質調整デバイス３３０は、パネルマイコン３１０からの処理要求に応じて、画質または音質調整処理を実行する。この調整処理に適用するパラメータはメモリ（ＮＶＭ）３４０に格納され、パネルマイコン３１０が処理項目に応じたパラメータをメモリ（ＮＶＭ）３４０から取得し、画質調整デバイス３２０、または音質調整デバイス３３０に出力し、各調整デバイスが入力パラメータに基づいて調整処理を実行する。
【００４３】
図２に示すように、コントローラ部（ボックス部）１１０の出力データ調整部２００のメモリ（ＮＶＭ）２４０には、さらに、調整実行部判定テーブル２４３を格納している。調整実行部判定テーブル２４３は、コントローラ部（ボックス部）１１０と、出力部（パネル部）１２０のいずれの出力データ調整部において画質調整あるいは音質調整処理を実行するかを調整処理項目毎に決定したデータを格納したテーブルである。
【００４４】
図３に画質調整項目に関する調整実行部判定テーブルの具体例を示す。図３に示すように、画質調整に関する各項目「ピクチャー」、「ブライト」、「シャープネス」、「カラー」、「ヒュー」、「色補正」、「ＮＲ」、「オートペデスタル」、「直流伝送率」、「ガンマ」、「色温度」の各項目について、コントローラ部（ボックス部）１１０と、出力部（パネル部）１２０のいずれの出力データ調整部において実行すべき調整項目であるかを決定したデータを格納している。
【００４５】
図３のテーブル例においては、コントローラ部（ボックス部）１１０の画質調整デバイスにおいて調整処理を実行すべき項目が、「シャープネス」、「カラー」、「ヒュー」、「色補正」、「ＮＲ」、「オートペデスタル」、「直流伝送率」、「ガンマ」の各項目として設定されており、出力部（パネル部）１２０の画質調整デバイスにおいて調整処理を実行すべき項目が、「ピクチャー」、「ブライト」、および「ガンマ」、「色温度」の各項目として設定されている。
【００４６】
音質調整に関する処理項目についても、各項目毎にコントローラ部（ボックス部）１１０と、出力部（パネル部）１２０のいずれの出力データ調整部において音質調整処理を実行するかを決定したデータが、図３に示すと同様のテーブルとして設定され、調整実行部判定テーブル２４３としてコントロール部（ボックス部）１１０側の出力データ調整部２００内のメモリ（ＮＶＭ）２４０に格納される。
【００４７】
図２に戻り、調整実行部判定テーブル２４３を利用した処理について説明する。コントローラ部（ボックス部）１１０のボックスマイコン２１０は、例えばユーザの利用するリモコンからの画質調整要求、あるいは音質調整要求を、出力部（パネル部）１２０の受信部１２３およびケーブル１５０、通信Ｉ／Ｆ２１３を介して受信する。具体的には、カラー調整や、輝度（ブライト）調整、トーン調整などの様々な処理要求である。
【００４８】
ボックスマイコン２１０は、ユーザからの画質または音質調整要求を受信すると、メモリ２４０に格納した調整実行部判定テーブル２４３を参照し、ユーザの処理要求がコントローラ部（ボックス部）１１０側で調整すべき処理項目であるか、出力部（パネル部）１２０側で調整すべき処理項目であるかを判定する。
【００４９】
例えば図３に示す設定を持つ調整実行部判定テーブルを格納している場合、ユーザからの処理要求が、「シャープネス」、「カラー」、「ヒュー」、「色補正」、「ＮＲ」、「オートペデスタル」、「直流伝送率」、「ガンマ」のいずれかの処理要求である場合は、コントローラ部（ボックス部）１１０の画質調整デバイスにおいて調整処理を実行するものと判定し、ユーザからの処理要求が、「ピクチャー」、「ブライト」、および「ガンマ」、「色温度」のいずれかの処理要求である場合は、出力部（パネル部）１２０の画質調整デバイスにおいて調整処理を実行するものと判定する。
【００５０】
例えば、コントローラ部（ボックス部）１１０での調整項目として設定されたシャープネスコントロールが要求された場合は、コントローラ部（ボックス部）１１０側のボックスマイコン２１０の制御の下に、自装置、すなわちコントローラ部（ボックス部）１１０側のメモリ２４０に格納されたパラメータを適用して、コントローラ部（ボックス部）１１０側の画質調整デバイス２２０において閉じた調整処理を実行する。
【００５１】
また、ピクチャーのような出力部（パネル部）１２０での調整項目とされている場合は、コントローラ部（ボックス部）１１０のボックスマイコン２１０から、出力部（パネル部）１２０側のパネルマイコン３１０に調整処理要求を出力し、出力部（パネル部）１２０で処理が行われる。すなわち、出力部（パネル部）１２０側のメモリ３４０に格納されたパラメータを用い、出力部（パネル部）１２０側の画質調整デバイス３２０において調整処理を実行する。
【００５２】
コントローラ部（ボックス部）１１０のボックスマイコン２１０は、どちらの調整デバイスを適用した処理を実行するかを図３に示すテーブルを参照して決定する。ボックスマイコン２１０は、ユーザからの処理要求なとの処理要求を受信すると、この決定処理を実行する処理プログラムを起動して決定処理を行い、決定に従って、画質または音質の調整処理を実行する。
【００５３】
例えば、コントローラ部（ボックス部）１１０側のボックスマイコン２１０が、処理要求としてピクチャーデータ変更要求を受信した場合は、メモリ２４０の調整実行部判定テーブル２４３を参照して、出力部（パネル部）１２０側の処理項目であると判定し、その判定に基づいて、ケーブル１５０を通じて、出力部（パネル部）１２０のパネルマイコン３１０にピクチャーデータ変更要求処理要求を出力する。
【００５４】
出力部（パネル部）１２０のパネルマイコン３１０は、コントローラ部（ボックス部）１１０側のボックスマイコン２１０からの処理要求を受信すると、処理要求に応じた処理を各調整デバイスに実行させる。コントローラ部（ボックス部）１１０側のボックスマイコン２１０からの処理要求が、ピクチャーデータ変更要求処理要求である場合には、出力部（パネル部）１２０のパネルマイコン３１０は、処理に必要なパラメータをメモリ３４０から取得し、画質調整デバイス３２０に出力して、ピクチャーデータ変更処理を実行させる。
【００５５】
また、コントローラ部（ボックス部）１１０側のボックスマイコン２１０が、処理要求としてシャープネス変更要求を受信した場合は、メモリ２４０の調整実行部判定テーブル２４３を参照して、コントローラ部（ボックス部）１１０側の処理項目であると判定し、その判定に基づいて、コントローラ部（ボックス部）１１０側のデバイスにデータ処理を実行させる。すなわち、コントローラ部（ボックス部）１１０のボックスマイコン２１０は、処理に必要なパラメータをメモリ２４０から取得し、画質調整デバイス２２０に出力して、シャープネス変更処理を実行させる。
【００５６】
図３に示す調整実行部判定テーブルは、コントローラ部（ボックス部）１１０側の出力データ調整部と、出力部（パネル部）１２０側の出力データ調整部とにおいて実行可能な調整項目が重複する場合には、より高品質な調整、具体的には、より細かい調整幅による高精度な調整や、より広いレンジ幅での調整が可能な制御部を調整実行部として設定したテーブルとして構成される。
【００５７】
このように、調整実行部判定テーブルは、２つのデバイスの中から、各調整項目毎に、より高精度な調整の可能なデバイスを選択して設定したテーブルとして生成されてメモリに格納される。従って、調整実行部判定テーブルに基づく調整処理の振り分けによって、画質、音質を２つのデバイス中で得られる最も高品質の調整データとして出力することが可能となる。
【００５８】
図４を参照して、本発明の出力データ処理装置において実行する処理手順について説明する。
【００５９】
図４の左側がコントローラ部（ボックス部）側の処理であり、右側が出力部（パネル部）側の処理である。まず、ステップＳ１１１において、コントローラ部（ボックス部）側が例えばユーザの画質または音質調整要求をリモコン、およびコントローラ部（ボックス部）側受信部、さらに、出力部（パネル部）とコントローラ部（ボックス部）を接続するケーブルを介して受信すると、コントローラ部（ボックス部）側のボックスマイコンは、メモリに格納した調整実行部判定テーブルを参照して受信した処理要求が、コントローラ部（ボックス部）側の処理項目として設定されているか、出力部（パネル部）側の処理項目として設定されているかを判定する。
【００６０】
受信した処理要求が、コントローラ部（ボックス部）側の処理項目として、調整実行部判定テーブルに設定されている場合（ステップＳ１１２：Ｎｏ）は、ステップＳ１１３に進み、コントローラ部（ボックス部）側の調整デバイスを適用し、コントローラ部（ボックス部）側のメモリに格納されたパラメータを適用した調整処理を実行し、ステップＳ１１４において、調整結果を出力部（パネル部）に送信して、ステップＳ１３３において、調整後データを出力する。
【００６１】
また、受信した処理要求が、出力部（パネル部）側の処理項目として、調整実行部判定テーブルに設定されている場合（ステップＳ１１２：Ｙｅｓ）は、ステップＳ１２１に進み、調整要求を出力部（パネル部）側にケーブルを介して送信する。
【００６２】
出力部（パネル部）側では、ステップＳ１３１において、コントローラ部（ボックス部）から調整要求を受信すると、ステップＳ１３２において、出力部（パネル部）側の調整デバイスを適用し、出力部（パネル部）側のメモリに格納されたパラメータを適用した調整処理を実行し、ステップＳ１３３において、調整後データを出力する。
【００６３】
上述したように、本発明の処理構成に従えば、コントローラ部（ボックス部）と、出力部（パネル部）の画質および音質調整デバイスの中から、より高精度な調整が可能なデバイスを適用した調整処理が、調整項目毎に設定され実行されることになり、よりクオリティの高い画像、音声の出力が可能となる。
【００６４】
なお、上述の実施例においては、調整実行部判定テーブルをコントローラ部（ボックス部）に格納し、コントローラ部（ボックス部）側のマイコンが、いずれの調整部において調整するかを判定する構成とした例を説明したが、調整実行部判定テーブルを出力部（パネル部）側のメモリに格納し、出力部（パネル部）側のパネルマイコンの制御の下にいずれの調整部において調整するかを判定する構成としてもよい。
【００６５】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００６６】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００６７】
例えば、プログラムは記録媒体としてのハードディスクやＲＯＭ（Read Only Memory)に予め記録しておくことができる。あるいは、プログラムはフレキシブルディスク、ＣＤ−ＲＯＭ(CompactDisc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００６８】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００６９】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００７０】
以上、説明したように、本発明においては、画像データまたは音声データのいずれかを出力する出力部（パネル部）側と、出力部と別構成として構成されたコントローラ部（ボックス部）からなる２体型のシステムにおいて、出力データの調整処理を出力部側データ調整部において実行するか、コントローラ側データ調整部において実行するかを調整項目毎に設定した調整実行部判定テーブルに基づいて決定し、決定結果に従って選択された調整部において画質または音質調整を実行する構成とした。本発明の構成において、調整実行部判定テーブルは、ピクチャー、シャープネス等の調整項目毎に、より高精度な調整の実行可能なデバイスを持つ調整部を調整実行部とした設定としたので、テーブルに基づく調整処理の振り分けによって、より高品質の画質、音質を持つ調整データの出力が可能となり、映像信号、音声信号の処理を実行する装置、あるいは映像信号処理に基づく出力を実行するディスプレイ、スピーカ等を備えた装置において適用できる。
【図面の簡単な説明】
【００７１】
【図１】出力部（パネル部）とコントローラ部（ボックス部）とからなる２体型システム、および出力データ調整部の構成について説明する図である。
【図２】出力部（パネル部）とコントローラ部（ボックス部）とからなる２体型システムにおける出力データ調整部の詳細構成について説明する図である。
【図３】調整実行部判定テーブルの具体例を示す図である。
【図４】本発明の出力データ処理装置における処理シーケンスを説明するフロー図である。
【符号の説明】
【００７２】
１１０  コントローラ部（ボックス部）
１２０  出力部（パネル部）
１２１  ディスプレイ
１２２  スピーカ
１２３  受信部
１５０  ケーブル
２００  出力データ調整部
２１０  ボックスマイコン
２１１  ＣＰＵ
２１２  メモリ
２１３  通信Ｉ／Ｆ
２１４，２１５  Ｉ／Ｆ
２２０  画質調整デバイス
２３０  音質調整デバイス
２４０  メモリ
２４１  画質調整パラメータ
２４２  音質調整パラメータ
２４３  調整実行部判定テーブル
３００  出力データ調整部
３１０  パネルマイコン
３２０  画質調整デバイス
３３０  音質調整デバイス
３４０  メモリ
【図１】
2005027235.tif 000003
【図２】
2005027235.tif 000004
【図３】
2005027235.tif 000005
【図４】
2005027235.tif 000006